(57)【要約】【課題】圧縮機から流出した潤滑油を効率よく圧縮機に供給する。【解決手段】冷却ユニットは、冷媒を圧縮すると共に、冷媒に混合された潤滑油によって潤滑される圧縮機と、圧縮機で圧縮された冷媒を凝縮する凝縮器と、凝縮器で凝縮された冷媒によって冷却対象を冷却する冷却器と、凝縮器と冷却器とを接続し、凝縮器によって凝縮された冷媒を冷却器に供給する第１冷媒流路と、冷却器と圧縮機とを接続し、冷却器から流出する冷媒を圧縮機に供給する第２冷媒流路と、第１冷媒流路に一端部が接続される一方で、第２冷媒流路に他端部が接続される潤滑油回収流路と、第２冷媒流路に設置され、冷却器から圧縮機に向かって第２冷媒流路を流れる冷媒によって、第１冷媒流路内の冷媒を潤滑油回収流路を介して吸引して第２冷媒流路に流入させるエジェクタと、を備える。【選択図】図１
2018124039.tif 000002
【特許請求の範囲】
【請求項１】
冷媒を圧縮すると共に、前記冷媒に混合された潤滑油によって潤滑される圧縮機と、
前記圧縮機で圧縮された前記冷媒を凝縮する凝縮器と、
前記凝縮器で凝縮された前記冷媒によって冷却対象を冷却する冷却器と、
前記凝縮器と前記冷却器とを接続し、前記凝縮器によって凝縮された前記冷媒を前記冷却器に供給する第１冷媒流路と、
前記冷却器と前記圧縮機とを接続し、前記冷却器から流出する前記冷媒を前記圧縮機に供給する第２冷媒流路と、
前記第１冷媒流路に一端部が接続される一方で、前記第２冷媒流路に他端部が接続される潤滑油回収流路と、
前記第２冷媒流路に設置され、前記冷却器から前記圧縮機に向かって前記第２冷媒流路を流れる冷媒によって、前記第１冷媒流路内の冷媒を前記潤滑油回収流路を介して吸引して前記第２冷媒流路に流入させるエジェクタと、を備える、冷却ユニット。
【請求項２】
前記第１冷媒流路は、前記潤滑油回収流路の一端部が接続される接続部を有しており、
前記接続部は、前記第１冷媒流路の底面から下方に伸びている、請求項１に記載の冷却ユニット。
【請求項３】
前記第１冷媒流路は、前記冷却器側に配置されて前記冷却器の下端に接続される第１流路部と、前記第１流路部と前記凝縮器とを接続する第２流路部を有しており、
前記第１流路部の流路断面積は、前記第２流路部の流路断面積より大きくされており、
前記接続部は、前記第１流路部に設けられており、
前記潤滑油回収流路の一端部の先端は、前記接続部内を貫通して前記第１流路部内に突出しており、前記第１流路部の底面より上方に位置している、請求項１又は２に記載の冷却ユニット。
【請求項４】
前記圧縮機と前記凝縮器との間に配置され、前記圧縮機から前記凝縮器に供給される冷媒から前記潤滑油を分離する油分離機と、
前記油分離機と前記圧縮機とを接続し、前記油分離機によって分離された潤滑油を前記圧縮機に供給する潤滑油リターン流路と、をさらに備える、請求項１〜３のいずれか一項に記載の冷却ユニット。
【発明の詳細な説明】
【技術分野】
【０００１】
本明細書に開示する技術は、冷却ユニットに関する。詳細には、冷媒に含有される潤滑油で圧縮機を潤滑する冷却ユニットに関する。
【背景技術】
【０００２】
機械の発熱部位（例えば、工作機械の主軸）を冷却する等のために冷却ユニットが用いられる。この種の冷却ユニットは、冷媒を圧縮する圧縮機と、圧縮された冷媒を凝縮する凝縮器と、凝縮された冷媒によって冷却対象（例えば、発熱部位を冷却するための冷却水）を冷却する冷却器とを備えている。冷却器で熱を吸収し気体となった冷媒は、圧縮機に供給される。冷媒が圧縮機と凝縮器と冷却器の間を循環することで、冷却対象を冷却する冷凍サイクルが形成される。
【０００３】
上記のような冷却ユニットの圧縮機では、例えば、圧縮機構の摺動部を潤滑するために潤滑油が用いられる。圧縮機を潤滑するための潤滑油は冷媒に混合され、冷媒と共に圧縮機に供給される。圧縮機に供給された潤滑油は、冷媒と共に圧縮機から流出し、冷凍サイクルを循環する。圧縮機に供給される潤滑油の量が減少すると、圧縮機の潤滑が不十分となる。このため、例えば、特許文献１の冷却ユニットは、冷媒と共に圧縮機から流出した潤滑油を冷媒から分離する油分離機を備えている。油分離機で分離された潤滑油は、潤滑油リターン流路を通って圧縮機に戻される。
【先行技術文献】
【特許文献】
【０００４】
【特許文献１】特開平６−３２３６３６号公報
【発明の概要】
【発明が解決しようとする課題】
【０００５】
特許文献１の冷却ユニットでは、圧縮機から流出した潤滑油は、油分離機で回収され、圧縮機に戻される。しかしながら、油分離機では、冷媒に含まれる潤滑油の全量を回収することはできず、油分離機で回収されない潤滑油は冷媒と共に凝縮器を介して冷却器に供給される。冷却器に供給された冷媒と潤滑油のうち、冷媒は冷却器で液体から気体へと相変化する一方、潤滑油は液体のまま相変化しない。このため、気体となった冷媒は冷却器から流出され易い一方で、潤滑油は冷却器の底部に溜まり易く、冷却器から流出され難くなる。このため、冷却器に供給された潤滑油が圧縮機まで戻され難くなり、圧縮機に十分な量の潤滑油が供給されなくなるという問題があった。使用する潤滑油の粘度が高いと、この問題は一層深刻になる。本明細書は、圧縮機から流出した潤滑油を効率よく圧縮機に供給する技術を開示する。
【課題を解決するための手段】
【０００６】
本明細書に開示する冷却ユニットは、冷媒を圧縮すると共に、冷媒に混合された潤滑油によって潤滑される圧縮機と、圧縮機で圧縮された冷媒を凝縮する凝縮器と、凝縮器で凝縮された冷媒によって冷却対象を冷却する冷却器と、凝縮器と冷却器とを接続し、凝縮器によって凝縮された冷媒を冷却器に供給する第１冷媒流路と、冷却器と圧縮機とを接続し、冷却器から流出する冷媒を圧縮機に供給する第２冷媒流路と、第１冷媒流路に一端部が接続される一方で、第２冷媒流路に他端部が接続される潤滑油回収流路と、第２冷媒流路に設置され、冷却器から圧縮機に向かって第２冷媒流路を流れる冷媒によって、第１冷媒流路内の冷媒を潤滑油回収流路を介して吸引して第２冷媒流路に流入させるエジェクタと、を備える。
【０００７】
上記の冷却ユニットは、第２冷媒流路に設置されるエジェクタによって、第１冷媒流路内の冷媒を潤滑油回収流路を介して吸引し、第２冷媒流路を流れる冷媒と混合することができる。このため、冷却器に供給される前の冷媒（すなわち、潤滑油を多く含有する冷媒）が第２冷媒流路を介して圧縮機に供給される。これによって、圧縮機を好適に潤滑することができる。
【図面の簡単な説明】
【０００８】
【図１】実施例１に係る冷却ユニットの概略構成を模式的に示す図。
【図２】冷却器の構成を説明するための図。
【図３】図１の要部IIIの拡大図。
【図４】図１の要部IVの拡大図。
【図５】実施例２に係る冷却ユニットの概略構成を示す図。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）本明細書が開示する冷却ユニットでは、第１冷媒流路は、潤滑油回収流路の一端部が接続される接続部を有していてもよい。接続部は、第１冷媒流路の底面から下方に伸びていてもよい。このような構成によると、第１冷媒流路と潤滑油回収流路を接続し易くすることができる。
【００１１】
（特徴２）本明細書が開示する冷却ユニットでは、第１冷媒流路は、冷却器側に配置されて冷却器の下端に接続される第１流路部と、第１流路部と凝縮器とを接続する第２流路部を有していてもよい。第１流路部の流路断面積は、第２流路部の流路断面積より大きくされていてもよい。接続部は、第１流路部に設けられていてもよい。潤滑油回収流路の一端部の先端は、接続部内を貫通して第１流路部内に突出しており、第１流路部の底面より上方に位置していてもよい。このような構成によると、第１冷媒流路を流れる冷媒は、第２流路部から第１流路部を通って冷却器の下端に供給される。第１流路部の流路断面積は第２流路部の流路断面積より大きくされているため、第１流路部を流れる冷媒の速度は、第２流路部を流れる冷媒の速度より遅くなる。このため、第１流路部は、冷却器等で分離された冷媒の一部が液体として貯留される液溜部として機能する。液溜部では、冷媒を主成分とする液相と、潤滑油を主成分とする液相に分離し易い。冷媒の比重が潤滑油の比重よりも大きい場合、潤滑油回収流路の一端部の先端を第１流路部の底面より上方に適切に位置させることで、潤滑油回収流路の一端部の先端を潤滑油を主成分とする液相内又はその近傍に位置させることができる。これによって、潤滑油を効率的に第２冷媒流路に流すことができる。
【００１２】
（特徴３）本明細書が開示する冷却ユニットは、圧縮機と凝縮器との間に配置され、圧縮機から凝縮器に供給される冷媒から潤滑油を分離する油分離機と、油分離機と圧縮機とを接続し、油分離機によって分離された潤滑油を圧縮機に供給する潤滑油リターン流路と、をさらに備えていてもよい。このような構成によると、油分離機を備えることによって、圧縮機から冷媒と共に流出した潤滑油を回収することができる。このため、第１冷媒流路に流出する潤滑油の量を減らし、潤滑油をより確実に圧縮機に戻すことができる。
【実施例１】
【００１３】
以下、実施例１に係る冷却ユニット１０について説明する。冷却ユニット１０は、工作機械の発熱部位（例えば、主軸やボールネジ等）を冷却するために用いられる。冷却ユニット１０で作動流体（例えば、切削液、作動油等）が冷却され、冷却された作動流体は工作機械に供給される。工作機械に供給された作動流体は、工作機械の発熱部位を冷却する。発熱部位を冷却することで温度が上昇した作動流体は冷却ユニット１０に戻され、再び冷却ユニット１０によって冷却される。なお、作動流体は、「冷却対象」の一例である。
【００１４】
図１に示すように、冷却ユニット１０は、圧縮機１２と、油分離機１４と、凝縮器１６と、膨張弁（又はキャピラリー等）１８と、冷却器２０と、エジェクタ５０を備えている。これらの間において冷媒を移動させるために、冷却ユニット１０は、圧縮機１２と凝縮器１６を接続する圧縮冷媒流路２２と、凝縮器１６と冷却器２０を接続する第１冷媒流路２４と、冷却器２０と圧縮機１２を接続する第２冷媒流路２６を備えている。また、冷却ユニット１０内を冷媒と共に移動する潤滑油を回収するために、冷却ユニット１０は、油分離機１４と第２冷媒流路２６を接続する潤滑油リターン流路２８と、第１冷媒流路２４とエジェクタ５０を接続する潤滑油回収流路３０を備えている。
【００１５】
圧縮機１２は、冷媒を圧縮する。圧縮機１２は、図示しない圧縮機構を備えており、圧縮機構が回転運動することで冷媒を圧縮する。圧縮機１２をオンすると、圧縮機１２が作動し、圧縮機１２によって圧縮された冷媒が圧縮機１２から送り出される。圧縮機１２をオフすると、圧縮機１２から送り出される冷媒の流れが停止する。なお、圧縮機１２は一定の速度で作動してもよいし、作動速度が変更可能であってもよい。圧縮機１２で圧縮された冷媒は、高温高圧の気体となり、圧縮冷媒流路２２に送られる。圧縮機１２には、潤滑油が供給されており、潤滑油によって、圧縮機構の摺動部（図示省略）が潤滑される。潤滑油は、冷媒と共に圧縮機１２から圧縮冷媒流路２２に送り出される。
【００１６】
油分離機１４は、圧縮冷媒流路２２に配置されている。すなわち、油分離機１４は、圧縮機１２と凝縮器１６の間に配置されている。圧縮機１２から送り出された冷媒と潤滑油は、油分離機１４に供給される。油分離機１４は、冷媒と潤滑油を分離する。分離された潤滑油は、潤滑油リターン流路２８に送り出される。潤滑油リターン流路２８の一端は油分離機１４に接続しており、他端は第２冷媒流路２６の圧縮機１２の近傍（すなわち、圧縮機１２の上流側の近傍）に接続している。油分離機１４から潤滑油リターン流路２８に送り出された潤滑油は、第２冷媒流路２６に送られる。第２冷媒流路２６を流れる冷媒及び潤滑油は圧縮機１２に向かって流れているため、潤滑油リターン流路２８から第２冷媒流路２６に送られた潤滑油は圧縮機１２戻される。一方、油分離機１４で潤滑油が分離された冷媒は、圧縮冷媒流路２２に送り出され、凝縮器１６に送られる。油分離機１４では、冷媒と潤滑油を完全に分離することはできない。このため、油分離機１４で分離されない潤滑油は、冷媒と共に凝縮器１６に送られる。
【００１７】
凝縮器１６は、圧縮機１２によって圧縮された冷媒を凝縮する。凝縮器１６に送られた冷媒は、ファン（図示省略）によって冷却される。ファンはモータ（図示省略）によって駆動されている。なお、ファンは一定の速度で駆動してもよいし、駆動速度が変更可能であってもよい。凝縮器１６によって凝縮された冷媒は、凝縮器１６に送られた潤滑油と共に第１冷媒流路２４に送られる。膨張弁１８は、第１冷媒流路２４に配置されている。膨張弁１８は、凝縮器１６によって凝縮された冷媒を減圧する。すなわち、凝縮器１６から第１冷媒流路２４に送られた冷媒は、膨張弁１８によって減圧され、第１冷媒流路２４に送られた潤滑油と共に冷却器２０に送られる。また、圧縮機１２の流出口と冷却器２０の流入口の間には、流量調整バルブ５２が配置されている。詳細には、流量調整バルブ５２は、凝縮器１６の上流側と膨張弁１８の下流側を接続するバイパス流路に配置される。流量調整バルブ５２を調整することによって、凝縮器１６に供給される冷媒の量を調整することができる。
【００１８】
冷却器２０は、プレート式熱交換器であり、凝縮された冷媒によって作動流体を冷却する。冷却器２０には、下方に近い側面に第１冷媒流路２４が接続しており、上方に近い側面に第２冷媒流路２６が接続している。すなわち、冷却器２０では、冷媒が下方から供給され、上方から排出される。
【００１９】
図２に示すように、冷却器２０は、複数のプレート６２と、冷媒供給流路６４と、冷媒排出流路６６と、作動流体供給流路６８と、作動流体排出流路７０を備えている。プレート６２は金属プレートであり、複数のプレート６２は水平方向に積層されている。隣接するプレート６２の間に冷媒又は作動流体が流れるように、複数のプレート６２が間隔を空けて配置されている。また、両者の熱交換効率を向上するために、各プレート６２の表面はプレス加工されている。隣接するプレート６２の間の流路７２には、冷媒と作動流体が交互に流れるように構成されている。図２に示すように、隣接する複数の流路７２が、流路７２ａ、７２ｂ、７２ｃ、７２ｄ、７２ｅ、７２ｆの順で配置される場合には、例えば、流路７２ａ、７２ｃ、７２ｅには冷媒が流され、流路７２ｂ、７２ｄ、７２ｆには作動流体が流される。
【００２０】
冷媒供給流路６４は冷却器２０の下方に配置され、第１冷媒流路２４に接続している。冷媒排出流路６６は冷却器２０の上方に配置され、第２冷媒流路２６に接続している。冷媒供給流路６４の流路断面積は、後述する第１冷媒流路２４の第１流路部４２の流路断面積と略同一となっている（図示省略）。第１冷媒流路２４を流れる冷媒は、冷媒供給流路６４に送られる。冷媒供給流路６４に送られた冷媒は、流路７２ａ、７２ｃ、７２ｅ等を通って冷媒排出流路６６に送られる。冷媒排出流路６６に送られた冷媒は、第２冷媒流路２６に送り出される。作動流体は、工作機械から作動流体供給流路６８に送られる。作動流体供給流路６８に送られた作動流体は、流路７２ｂ、７２ｄ、７２ｆ等を通って作動流体排出流路７０に送られる。作動流体排出流路７０に送られた作動流体は、再び工作機械に戻される。
【００２１】
隣接する流路７２には、冷媒と作動流体が交互に流される。このため、冷媒が流れる流路７２（例えば、流路７２ａ）と作動流体が流れる流路７２（例えば、流路７２ｂ）の間に配置されるプレート６２を介して、冷媒と作動流体の間で熱交換が行われる。すなわち、作動流体は冷媒によって冷却される。また、作動流体と熱交換した冷媒は、温められて液相から気相へ相変化する。冷却器２０内では、気相の冷媒が上方に移動し易く、冷媒と共に冷却器２０に供給された潤滑油が下方に溜まり易くなる。
【００２２】
冷却器２０から送り出された冷媒は、第２冷媒流路２６に送られ、第２冷媒流路２６内に配置されるアキュムレータを介して圧縮機１２に戻される。そして、圧縮機１２に戻された冷媒は再び圧縮される。また、圧縮機１２と冷却器２０の間には、均圧バルブ５６が配置されている（図１参照）。詳細には、均圧バルブ５６は、圧縮機１２の上流側と下流側を接続するバイパス流路に配置される。均圧バルブ５６を調整すると、圧縮機１２から供給される冷媒がバイパス流路を介して第２冷媒流路２６に戻され、第２冷媒流路２６から冷却器２０に冷媒が供給される。このため、均圧バルブ５６を調整することによって、冷却器２０内の流路７２を逆洗することができ、流路７２内に残留する潤滑油を冷却器２０の下方に移動させることができる。
【００２３】
エジェクタ５０と潤滑油回収流路３０の構成について説明する。まず、図３を参照して、潤滑油回収流路３０と第１冷媒流路２４の接続部分について説明する。第１冷媒流路２４は、冷却器２０の下方に位置する冷媒供給流路６４と接続している。図３に示すように、第１冷媒流路２４は、第１流路部４２と、第２流路部４４と、接続部４６を備えている。
【００２４】
第１流路部４２は、第１冷媒流路２４の冷却器２０側に位置しており、冷却器２０に接続している。第２流路部４４は、第１流路部４２に接続しており、凝縮器１６まで伸びている。すなわち、第１冷媒流路２４は、その大部分が第２流路部４４によって構成されており、冷却器２０と接続する一部分のみが第１流路部４２によって構成されている。第１流路部４２の内径Ｒ１は、第２流路部４４の内径Ｒ２より大きくされている。すなわち、第１流路部４２の流路断面積は、第２流路部４４の流路断面積より大きくされている。また、上述したように、第１流路部４２の流路断面積は、冷媒供給流路６４の流路断面積と略同一となっている。第１流路部４２の流路断面積（すなわち、冷媒供給流路６４の流路断面積）が大きくされることによって、第１流路部４２と冷媒供給流路６４が冷媒を一時的に貯留する貯留部として機能する。このため、冷却器２０の複数の流路７２のそれぞれに冷媒を供給し易くなり、冷却器２０の冷却能力を高くすることができる。したがって、冷却器２０によって、比較的粘度が高い作業流体（例えば、作動油であるＶＧ６８等）を冷却ユニット１０に用いても、作動流体を効率的に冷却することができる。
【００２５】
また、第１流路部４２の流路断面積が第２流路部４４の流路断面積より大きくされることによって、第１流路部４２を流れる冷媒と潤滑油の速度は、第２流路部４４を流れる冷媒と潤滑油の速度より遅くなる。このため、第１流路部４２では、冷媒と潤滑油の滞留時間が長くなり、冷媒を主成分とする液相と、潤滑油を主成分とする液相に分離し易くなる。例えば、本実施例では、冷媒にフロンを用いており、潤滑油にＶＧ６８を用いている。冷媒（例えば、フロン）の比重は、潤滑油（例えば、ＶＧ６８）の比重より大きい。このため、第１流路部４２内では、冷媒を主成分とする液相が下方に位置し、潤滑油を主成分とする液相が上方に位置する。
【００２６】
接続部４６は、第１流路部４２の底面に設けられており、第１流路部４２から下方に向かってテーパ状に伸びている。接続部４６には、潤滑油回収流路３０の第１冷媒流路２４側の第１端部３２が接続している。すなわち、接続部４６は、第１流路部４２（すなわち、第１冷媒流路２４）と潤滑油回収流路３０を接続している。接続部４６が第１流路部４２から分岐することによって、接続部４６と潤滑油回収流路３０が接続し易くなる。なお、本実施例では、接続部４６はテーパ状であるが、このような構成に限定されない。接続部４６は、潤滑油回収流路３０を接続可能な形状であればよい。
【００２７】
第１端部３２は、接続部４６内を貫通しており、第１冷媒流路２４の内部に突出している。第１端部３２は、第１流路部４２の底面より上方に位置しており、冷却ユニット１０の運転時（詳細には、運転開始から所定時間が経過して定常状態に移行した後）には潤滑油を主成分とする液相内に位置している。上述したように、本実施例では、潤滑油を主成分とする液相は、冷媒を主成分とする液相より上方に位置している。したがって、第１端部３２は、接続部４６内を貫通し、さらに冷媒を主成分とする液相を貫通して、潤滑油を主成分とする液相内に位置する。なお、第１端部３２は、「一端部」の一例である。
【００２８】
次に、図４を参照して、潤滑油回収流路３０とエジェクタ５０の接続部分について説明する。エジェクタ５０は、第２冷媒流路２６の冷却器２０の近傍に配置されている（図１参照）。図４に示すように、潤滑油回収流路３０のエジェクタ５０側の第２端部３４は、エジェクタ５０に接続している。エジェクタ５０の流路断面積は、第２冷媒流路２６の流路断面積より小さくなっており、冷却器２０から流出する冷媒の速度はエジェクタ５０で速くなる。このため、エジェクタ５０に接続される潤滑油回収流路３０の内部が負圧となり、第１端部３２から第１流路部４２内の潤滑油及び冷媒が吸引される。上述したように、潤滑油回収流路３０の第１端部３２は潤滑油を主成分とする液相に位置している。このため、潤滑油回収流路３０に多量の潤滑油を送ることができる。潤滑油回収流路３０を介して吸引された潤滑油とその潤滑油と共に吸引された冷媒は、エジェクタ５０から第２冷媒流路２６に供給され、第２冷媒流路２６内を流れる冷媒と共に圧縮機１２に戻される。なお、第２端部３４は、「他端部」の一例である。
【００２９】
本実施例の冷却ユニット１０は、エジェクタ５０と潤滑油回収流路３０を備えることによって、第１流路部４２に貯留する潤滑油を第２冷媒流路２６に供給することができる。上述したように、冷却器２０に供給された潤滑油は、第２冷媒流路２６から排出され難く、冷却器２０の下方に溜まり易い。冷却ユニット１０では、潤滑油回収流路３０によって第１流路部４２とエジェクタ５０とを接続することによって、冷却器２０に供給される前の潤滑油を第２冷媒流路２６に供給することができる。このため、冷却器２０に供給される潤滑油の量を減少させることができ、潤滑油を圧縮機１２に戻すことができる。したがって、圧縮機１２に潤滑油が供給されない状態を回避することができ、圧縮機１２を潤滑することができる。
【００３０】
なお、本実施例では、冷媒にフロンを用いており、潤滑油にＶＧ６８を用いているが、このような構成に限定されない。冷媒及び潤滑油の種類は、冷却ユニット１０によって冷却する冷却対象に応じて変更してもよい。また、冷媒の比重が潤滑油の比重より小さくなるような冷媒と潤滑油の組み合わせを用いてもよい。さらに、本実施例の冷却ユニット１０は、工作機械の発熱部位を冷却するために用いられているが、このような用途に限定されない。冷却ユニット１０は、冷媒が圧縮機１２と凝縮器１６と冷却器２０の間を循環する冷凍サイクルを構成すればよく、例えば、空気調和機等の冷凍サイクルに用いてもよい。
【実施例２】
【００３１】
上述の実施例１の冷却ユニット１０は油分離機１４を備えていたが、このような構成に限定されない。例えば、図５に示すように、冷却ユニット１００は、油分離機１４を備えてなくてもよい。なお、冷却ユニット１００は、実施例１の冷却ユニット１０の油分離機１４と潤滑油リターン流路２８を備えていないものであり、その他の構成は略同一となっている。そこで、実施例１の冷却ユニット１０と同一の構成については、その説明を省略する。
【００３２】
冷却ユニット１００では、圧縮機１２と凝縮器１６の間に油分離機１４が配置されていない。このため、圧縮機１２から冷媒と共に圧縮冷媒流路２２に送り出された潤滑油は、回収されることなく凝縮器１６に供給される。したがって、凝縮器１６には、比較的に多量の潤滑油が供給される。凝縮器１６に供給された多量の潤滑油は、冷媒と共に第１冷媒流路２４に送られる。潤滑油と冷媒は、第１流路部４２に送られると、冷媒を主成分とする液相と、潤滑油を主成分とする液相に分離する。本実施例の冷却ユニット１００では、実施例１の冷却ユニット１０より多量の潤滑油が凝縮器１６及び第１冷媒流路２４に送られる。しかしながら、冷却ユニット１００においても、エジェクタ５０と潤滑油回収流路３０を備えることによって、第１流路部４２内の潤滑油を第２冷媒流路２６に送り出すことができる。このため、冷却器２０内に潤滑油が溜まることを抑制することができ、潤滑油を圧縮機１２に供給することができる。
【００３３】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。
【符号の説明】
【００３４】
１０、１００：冷却ユニット
１２：圧縮機
１４：油分離機
１６：凝縮器
１８：膨張弁
２０：冷却器
２２：圧縮冷媒流路
２４：第１冷媒流路
２６：第２冷媒流路
２８：潤滑油リターン流路
３０：潤滑油回収流路
３２：第１端部
３４：第２端部
４２：第１流路部
４４：第２流路部
４６：接続部
５０：エジェクタ
６２：プレート
６４：冷媒供給流路
６６：冷媒排出流路
６８：作動流体供給流路
７０：作動流体排出流路
【図１】
2018124039.tif 000003
【図２】
2018124039.tif 000004
【図３】
2018124039.tif 000005
【図４】
2018124039.tif 000006
【図５】
2018124039.tif 000007